(57)【要約】      （修正有）【課題】発電プラントの動作のための動的警報システムを提供する。【解決手段】この動的警報システムは、発電プラント１０４の動作の測定値と関連する信号を生成するように構成されたセンサ１０２ａ〜１０２ｎを含む。インターフェース１１２は、生成された警報をオペレータに向けて表示し、生成された警報と関連する動的な評価値をオペレータから受け取る。プロセッサ１０７は、生成された信号を用いて警報を生成し、評価値をコンパイルして、コンパイルされた評価値から発電プラントの動作を改変する。【選択図】図１
2014142933.tif 000002
【特許請求の範囲】
【請求項１】
プラントを動作させるための動的警報システムであって、
前記プラントの動作の測定値と関連する信号を生成するように構成されたセンサと、
生成された警報をオペレータに向けて表示し、前記オペレータから前記生成された警報と関連する動的な評価値を受け取るように構成されたインターフェースと、
前記生成された信号を用いて前記警報を生成し、前記評価値をコンパイルし、前記コンパイルされた評価値から前記プラントの動作を改変するように構成されたプロセッサと、
を備えている動的警報システム。
【請求項２】
前記インターフェースが、さらに、前記オペレータが同時に前記警報を確認し、前記警報を評価することが可能であるように構成されている、請求項１記載の動的警報システム。
【請求項３】
前記プロセッサが、さらに、複数のプラントに対する評価値をコンパイルするように構成されている、請求項１記載の動的警報システム。
【請求項４】
前記インターフェースが、さらに、前記警報の前記コンパイルされた評価値に基づいて前記警報を提示するように構成されている、請求項１記載の動的警報システム。
【請求項５】
前記インターフェースが、さらに、前記オペレータがコメントを提供することを可能にするように構成されている、請求項１記載の動的警報システム。
【請求項６】
前記評価値が（ａ）ブール値と（ｂ）段階的な目盛りから選択された値のうちの少なくとも一方である、請求項１記載の動的警報システム。
【請求項７】
発電プラントにおける警報に応答する方法であって、
前記発電プラントの動作と関連する１つまたは複数の警報を受け取るステップと、
前記１つまたは複数の警報を動的に評価し、１つまたは複数の評価値を取得するステップと、
前記１つまたは複数の評価値をコンパイルするステップと、
前記コンパイルされた評価値から、選択された警報の前記発電プラントの前記動作への妥当性を判断するステップと、
前記判断された妥当性を用いて、前記発電プラントの動作を改変するステップと、
を含む方法。
【請求項８】
前記１つまたは複数の警報から選択された警報を動的に評価するステップが、前記警報への応答の一部として評価値を選択するステップをさらに含む、請求項７記載の方法。
【請求項９】
前記警報の前記判断された妥当性を用いて前記警報を生成するセンサのパラメータを改変するステップをさらに含む、請求項７記載の方法。
【請求項１０】
複数の発電プラントに対する評価値をコンパイルするステップをさらに含む、請求項７記載の方法。
【請求項１１】
前記１つまたは複数の警報の前記コンパイルされた評価値に基づいて前記１つまたは複数の警報の提示を編成するステップをさらに含む、請求項７記載の方法。
【請求項１２】
前記１つまたは複数の警報を動的に評価するステップが、コメントを提供するステップをさらに含む、請求項７記載の方法。
【請求項１３】
前記１つまたは複数の警報を評価するステップが、（ａ）ブール値と（ｂ）段階的な目盛りからの値のうちの少なくとも一方を選択するステップをさらに含む、請求項７記載の方法。
【請求項１４】
プラントにおける警報に応答するための装置であって、
前記プラントの動作と関連する１つまたは複数の警報を受け取るように構成された制御パネルと、
前記１つまたは複数の警報と関連する動的に選択された評価値を受け取るように構成されたインターフェースと、
前記動的に選択された評価値をコンパイルし、前記コンパイルされた評価値から、選択された警報の前記プラントの動作への妥当性を判断し、前記判断された妥当性から前記プラントの動作を改変するように構成されたプロセッサと、
を備えている装置。
【請求項１５】
前記インターフェースが、さらに、前記オペレータが前記１つまたは複数の警報に応答することが可能になる前に、前記動的に選択された評価値をオペレータから受け取るように構成されている、請求項１４記載の装置。
【請求項１６】
前記プラントを監視して警報を生成するように構成されたセンサをさらに備えている、請求項１４記載の装置。
【請求項１７】
前記プロセッサが、さらに、複数のプラントに対する評価値をコンパイルするように構成されている、請求項１４記載の装置。
【請求項１８】
前記インターフェースが、さらに、前記１つまたは複数の警報の前記コンパイルされた評価値に基づいて、前記インターフェースにおける前記１つまたは複数の警報の提示を改変するように構成されている、請求項１４記載の装置。
【請求項１９】
前記インターフェースが、さらに、オペレータがコメントを提供することを可能にするように構成されている、請求項１４記載の装置。
【請求項２０】
前記評価値が（ａ）ブール値と（ｂ）段階的な目盛りから選択された値のうちの少なくとも一方である、請求項１４記載の装置。
【発明の詳細な説明】
【技術分野】
【０００１】
本明細書で開示されている主題は、発電プラントの動作に関し、詳細には、発電プラントの動作の最中にトリガされる警報への応答に関する。
【背景技術】
【０００２】
発電プラントは、一般に、出力すなわち電気を生じさせるように動作される多数のマシンを含む。これらのマシンは、その適切な動作を保証する目的でマシンのコンポーネントまたは動作パラメータを監視する多数のセンサを含みうる。特定の動作パラメータが予め選択された範囲の外に逸脱すると、ロジックの組が、制御ユニットで作業しているオペレータに警告するために、制御ユニットに警告を送る。多くの場合、プラントの開発担当者は、発電プラントの確立された動作を観察することに関する利益を有していない。他方で、プラントのオペレータはそのような利益を有しているのであるが、オペレータの経験により将来の設計を改善することを可能にするような有効な仕組みは、存在していない。また、一部の警報は、それ以外の警報よりも、発電プラントの動作に対して、より深刻な意味を有しうる。しかし、現時点では、警報は、それ以外のどの警報とも同じレベルの緊急性を有するものとしてオペレータに提示されるが、さもなければ、警報が設計される時点で、警報の優先順位を指定することは可能である。オペレータが警報をカテゴリに分類することにより、発電プラントを動作させる際にオペレータの効用を高めるような方法は、存在しない。また、プラントの動作やプラントの開発で用いるために、警報と関連する定量的なデータをオペレータが収集するような方法も存在しない。
【先行技術文献】
【特許文献】
【０００３】
【特許文献１】米国特許出願公開第２００９／００１２６３１号明細書
【発明の概要】
【０００４】
本発明の一態様によると、プラントを動作させるための動的警報システムであって、プラントの動作の測定値と関連する信号を生成するように構成されたセンサと、生成された警報をオペレータに向けて表示し、生成された警報と関連する動的な評価値をオペレータから受け取るように構成されたインターフェースと、生成された信号を用いて警報を生成し、評価値をコンパイルし、コンパイルされた評価値からプラントの動作を改変するように構成されたプロセッサと、を備えている動的警報システムが提供される。
【０００５】
本発明の別の態様によると、発電プラントにおける警報に応答する方法であって、発電プラントの動作と関連する１つまたは複数の警報を受け取るステップと、１つまたは複数の警報を動的に評価して、１つまたは複数の評価値を取得するステップと、１つまたは複数の評価値をコンパイルするステップと、コンパイルされた評価値から、選択された警報の発電プラントの動作への妥当性を判断するステップと、判断された妥当性を用いて、発電プラントの動作を改変するステップと、を含む方法が提供される。
【０００６】
本発明のさらに別の態様によると、プラントにおける警報に応答するための装置であって、プラントの動作と関連する１つまたは複数の警報を受け取るように構成された制御パネルと、１つまたは複数の警報と関連する動的に選択された評価値を受け取るように構成されたインターフェースと、動的に選択された評価値をコンパイルし、コンパイルされた評価値から、選択された警報のプラントの動作への妥当性を判断し、判断された妥当性からプラントの動作を改変するように構成されたプロセッサと、を備えている装置が提供される。
【０００７】
これらのおよびそれ以外の効果および特徴は、以下の説明を図面と共に検討することによって、より明らかになるであろう。
【０００８】
本主題は、本発明であると見なされるのであるが、この明細書の後に置かれる特許請求の範囲において明確に提示され明瞭に特許請求されている。本発明の以上で述べたおよびそれ以外の特徴と効果とは、以下の詳細な説明を添付の図面と共に検討することにより、明らかになる。
【図面の簡単な説明】
【０００９】
【図１】動作ユニットまたはシステムと関連する警報を提供することができる例示的な警報システムの概念図を示す。
【図２】制御システムのユーザインターフェースにおいてオペレータに提示されうる例示的な表示を示す。
【図３】本明細書で開示されている例示的な警報システムを用いて動作しうる発電プラント設備のシステムを示す。
【図４】警報に応答する例示的な方法を図解する流れ図を示す。
【発明を実施するための形態】
【００１０】
この詳細な説明では、本発明の実施形態を、図面の参照を伴う例示によって、その効果および特徴と共に説明する。
【００１１】
図１は、動作中の発電プラント１０４と関連する警報を生成することができる例示的な警報システム１００の概念図を示している。本開示は発電プラントとの関係で論じられているが、代替の実施形態では、この警報システムは、任意の適切なシステムまたはマシンと共に用いることが可能である。この例示的な警報システム１００は、発電プラント１０４の様々なコンポーネントに結合されている複数のセンサ１０２ａ〜１０２ｎを含む。発電プラントシステムのこの例示的な実施形態では、これらのコンポーネントには、コンプレッサ部、燃焼器およびタービン部を含むガスタービン発電機、配電網、加熱および／または冷却ユニットなどが、含まれうる。発電プラントの例示的な動作パラメータには、圧力、スイッチ位置、回転速度、温度、燃料消費速度、または発電プラントの動作に適した任意の他のパラメータが含まれうる。複数のセンサ１０２ａ〜１０２ｎは、制御システム１０５に結合することができる。センサ１０２ａなどの選択されたセンサは、このセンサによって監視されている動作パラメータが予め選択された範囲から逸脱すると、信号を制御システム１０５に送ることができる。発電プラント１０４の例示的な動作においては、センサ１０２ａ〜１０２ｎの数が数百から数千にも達することがあり、ということは、発電プラント１０４の動作の間に、それに対応する数の警報が生成されることがありうる。
【００１２】
制御システム１０５は、警報システム１００の動作に適した一連のプログラム１０９を動かすプロセッサ１０７を含みうる。プロセッサ１０７は、ユーザインターフェース１１２、およびデータベースまたはメモリ１１１と通信を行うことができる。例示的な実施形態では、プロセッサ１０７は、センサ１０２ａ〜１０２ｎのうちの少なくとも１つから信号または警報を受け取り、信号または警報を処理することにより警報状態を判断して、その警報状態を、対応する評価システムと共にユーザインターフェース１１２に提示する。オペレータは、インターフェース１１２において、警報状態を動的に評価できる。プロセッサ１０７は、さらに、警報状態と関連する評価値をユーザインターフェース１１２から受け取り、その評価値をメモリ１１１に記憶する。例示的な実施形態では、メモリ１１１は、選択された警報状態と対応する複数の評価値を記憶することができる。プロセッサ１０７は、これら複数の警報評価値にアクセスし、選択された評価の査定または分析を実行した上で、発電プラント１０４の動作に対する警報の妥当性を判断することができる。メモリ１１１は、さらに、そこに記憶されている評価を用いていくつかの動作を実行することがありうる１人または複数の開発担当者１２０にとっても、アクセス可能な場合がある。例えば、開発担当者１２０は、選択された警報に対応する評価値に基づき、例えば警報と関連するプログラムの設定またはパラメータを変更することによって、インターフェース１１２におけるオペレータへの選択された警報状態の提示を改変することが可能である。また、開発担当者は、発電プラント１０４の動作または警報システム１００の動作を改変することができ、または、センサを除去する、センサを追加する、センサの位置を変更する、またはセンサの感度すなわち警報閾値を変更することなどにより、センサ１０２ａ〜１０２ｎを改変することもできる。
【００１３】
図２は、制御システム１０５のユーザインターフェース１１２においてオペレータに提示される例示的な表示２００を示している。例示的な表示２００は、警報パラメータと関連する複数のカラム２０２、２０４および２０６を含む。第１のカラム２０２またはカラムの組は、警報タイプ、警報識別、発電プラントのコンポーネント、およびそれ以外の有益なデータをオペレータに示す警報エントリを提示することができる。第２のカラム２０４は、オペレータに評価システムを提供している。評価システムは、例えば、１から１０または１から５など、２つの数値による限度の間である範囲を有する目盛りなど、段階的な目盛りでありうる。あるいは、この評価システムは、ブール代数的な評価システムである場合もある。ブール代数的な評価値システムとは、オペレータが、ＹＥＳ／ＮＯ、＋／−、妥当／妥当でない、などの２つの値のうちの一方を選択できるものである。例示的な実施形態では、オペレータは、警報を受け取り、その警報を動的に、すなわち警報への応答の間にまたは警報を確認する間に、評価する。一般的に、オペレータは、警報の知覚された緊急性に基づいて、または発電プラント１０４の動作への警報の妥当性に基づいて、警報を評価する。一態様では、インターフェース１１２は、オペレータが警報の確認と警報の評価とを同時に行うことを可能にする。例えば、オペレータは、「確認＋」を選択することにより、警報の確認とその警報に対する肯定的な評価値の提供とを同時に行うことができる。同様に、警報の確認とその警報に対する否定的な評価値の提供とを同時に行うためには、オペレータは、「確認−」を選択できる。さらには、警報システムが、オペレータから評価値を取得した後で、オペレータがその警報と関連する行動を実行することを許容することも可能である。第３のカラム２０６は、カラム２０４の警報に対応する１つまたは複数のテキストボックスを含み、このテキストボックスによって、オペレータが、ある評価値に関するコメントを、および／または、選択された評価値を説明するコメントを、提供することが可能になる。
【００１４】
一実施形態では、これらの警報が、これらの警報の評価値に基づき、ユーザインターフェースにおいて、優先順位の決定、フィルタリング、またはソートがなされることがある。なお、これらの警報の評価値とは、それまでの複数の確認作業の間にそれぞれの警報が受け取った累積の評価に基づく場合もある。さらには、プロセッサ１０７を用いて、それまでの評価値に基づき、妥当でない警報を整理することができる。例えば、プロセッサ１０７は、例えば３未満の評価など、段階的な目盛り上での選択されたレベルよりも下の評価をされている警報を、整理することがある。
【００１５】
したがって、本開示は、それぞれの警報に関してオペレータから定量的なデータを収集する方法を提供する。このデータは、次に、基礎となる警報コードを変更することなく、将来の発電プラントのための制御を設計するときに、または、迷惑でありもしくは価値が低くタイミングが不正確などと考えられる警報の再発を排除するために、用いることができる。
【００１６】
図３は、本明細書で開示されている例示的な警報システムを用いて動作しうる発電プラント設備のシステム３００を示している。例示的な実施形態では、発電プラント設備３０２ａ〜３０２ｎは、別々の設備である。それぞれの発電プラント設備は、それ自体の警報システムを有することがありうる。この例示的なシステム３００では、複数の発電プラント設備３０２ａ〜３０２ｎにおいて得られた警報評価値が、共通メモリ位置３０５で集計される。共通メモリ位置３０５は、１人または複数の開発担当者にとってアクセス可能でありうる。１人または複数の開発担当者は、集計された評価値を用いて、複数の発電プラント設備３０２ａ〜３０２ｎにおいて様々な動作を実行することができる。例示的な実施形態では、開発担当者は、これらの発電プラント設備に関してどの警報を修正できるか、さらには、ある特定の発電プラント設備においてどの警報を修正できるかを、判断できる。
【００１７】
図４は、ある発電プラント設備において警報に応答する例示的な方法を図解する流れ図を示している。ブロック４０２では、オペレータが、ある発電プラント設備の動作と関連するセンサによって生成された警報を受け取る。ブロック４０４では、オペレータが、警報を確認する間に、または警報に対して行動を起こしている間に、その警報を評価する。ブロック４０６では、警報に対する複数の評価値が、データベースにコンパイルされる。ブロック４０８では、これらのコンパイルされた評価値を用いて、警報システムの動作または発電プラント設備の動作を改変する。これは例えば、ユーザインターフェースにおける警報の提示を変更する、センサの感度を変更する、発電プラント設備の動作を変更する、などである。
【００１８】
以上では本発明を限られた数だけの実施形態との関係で詳細に説明してきたが、本発明がこれらの開示されている実施形態に限定されないことは、容易に理解されるはずである。むしろ、本発明は、以上の記載では言及されていない任意の数の改変、変更、置換、または均等な並び替えを組み入れるように修正することが可能であり、そのような修正を行っても、本発明の精神および範囲から逸脱することはない。さらに、以上では本発明の様々な実施形態について説明をしているが、本発明の態様には、説明された実施形態の一部だけが含まれることもありうることを、理解すべきである。したがって、本発明は、以上の説明に限定されると見なすべきではなく、添付の特許請求の範囲の範囲だけによって限定される。
【符号の説明】
【００１９】
１００  例示的な警報システム
１０４  発電プラント
１０２ａ〜１０２ｎ  センサ
１０５  制御システム
１０７  プロセッサ
１０９  プログラム
１１１  データベースまたはメモリ
１１２  インターフェース
１２０  開発担当者
２００  例示的な表示
２０２  警報１（以下、警報２、警報３、・・・、警報１０）
２０４  評価目盛り
２０２、２０４、２０６  カラム
３００  システム
３０２ａ〜３０２ｎ  発電プラント設備
３０５  メモリ位置
４０２  発電プラント設備と関連する警報を受け取る
４０４  警報の確認の間、または警報に関する行動を起こしている間に、警報を評価する
４０６  警報に対する複数の評価をコンパイルする
４０８  コンパイルされた評価に基づいて、発電プラント設備および／または警報システムの動作を改変する
【図１】
2014142933.tif 000003
【図２】
2014142933.tif 000004
【図３】
2014142933.tif 000005
【図４】
2014142933.tif 000006